(57)【特許請求の範囲】
【請求項１】
画像信号を入力する入力手段と、
上記入力手段で入力した画像信号に識別情報を付加して記憶する記憶手段と、
画像信号に対応した光像を形成して投影する投影手段と、
上記入力手段で現在入力している画像信号と上記記憶手段にすでに記憶した画像信号とを用い、複数の画面を各画面毎の識別情報に基づいた表記と共に１つの画像として上記投影手段で投影させる投影制御手段と
を備え、
上記識別情報は、少なくとも記憶した順序及び記憶した画像信号の数に対応した情報であって、
上記投影手段は、上記記憶した順序と上記記憶した画像信号の数が一致した画像信号に対応する画面の識別情報について、上記入力手段で現在入力している画像信号として上記記憶手段にすでに記憶した画像信号に対応する画面の識別情報とは区別して表記する
ことを特徴とする投影装置。
【請求項２】
上記複数の画面の数が上記記憶した画像信号の数よりも小さいとき、少なくとも上記記憶した順序と上記記憶した画像信号の数が一致した画像信号に対応する画面を表示することを特徴とする請求項１記載の投影装置。
【請求項３】
上記複数の画面を１つの画像として上記投影手段で投影させるときに、上記記憶した順序と上記記憶した画像信号の数が一致した画像信号に対応する画面を他の画面に比して、大きく投影することを特徴とする請求項１記載の投影装置。
【請求項４】
上記画面は、書画カメラで撮影した書画映像を輪郭抽出して切出したものであることを特徴とする請求項１記載の投影装置。
【請求項５】
上記入力手段が入力する画像信号は日時を示す情報を含み、
上記投影制御手段は、各画面毎の識別情報として日時を示す情報の少なくとも一部を表記した画像を投影させる
ことを特徴とする請求項１記載の投影装置。
【請求項６】
画像信号に対応した光像を形成して投影する投影部を有する装置での投影方法であって、
入力した画像信号に少なくとも記憶した順序及び記憶した画像信号の数に対応した識別情報を付加してメモリに記憶させる記憶工程と、
現在入力している画像信号と上記メモリにすでに記憶した画像信号とを用い、複数の画面を各画面毎の識別情報に基づいた表記と共に１つの画像として上記投影部で投影させる投影制御工程と、
上記記憶した順序と上記記憶した画像信号の数が一致した画像信号に対応する画面の識別情報について、上記入力手段で現在入力している画像信号として上記記憶手段にすでに記憶した画像信号に対応する画面の識別情報とは区別して表記する表記工程と
を有したことを特徴とする投影方法。
【請求項７】
画像信号に対応した光像を形成して投影する投影部を有する装置に内蔵されたコンピュータが実行するプログラムであって、
入力した画像信号に少なくとも記憶した順序及び記憶した画像信号の数に対応した識別情報を付加してメモリに記憶させる記憶ステップと、
現在入力している画像信号と上記メモリにすでに記憶した画像信号とを用い、複数の画面を各画面毎の識別情報に基づいた表記と共に１つの画像として上記投影部で投影させる投影制御ステップと、
上記記憶した順序と上記記憶した画像信号の数が一致した画像信号に対応する画面の識別情報について、上記入力手段で現在入力している画像信号として上記記憶手段にすでに記憶した画像信号に対応する画面の識別情報とは区別して表記する表記ステップと
をコンピュータに実行させることを特徴とするプログラム。
【発明の詳細な説明】
【技術分野】
【０００１】
本発明は、例えば書画カメラ装置を接続して各種ドキュメントの画像を投影するのに好適な投影装置、投影方法及びプログラムに関する。
【背景技術】
【０００２】
従来、パソコン等の外部情報機器から供給される映像を映しながら、同時に書画カメラの撮像映像をも映して、１つのスクリーンに多画面表示可能な書画カメラ付きデータプロジェクタを提供する技術が考えられている。（例えば、特許文献１）
【特許文献１】特開２０００−０１０１８９号公報
【発明の開示】
【発明が解決しようとする課題】
【０００３】
しかしながら、上記特許文献１に記載された技術を含めて、多画面表示を行なう場合に特に画面数が多いほど、各画面がどのような順序等で投影されているのか、現時点で書画カメラで撮影しているのはどの画面か、など各画面の識別が曖昧になってしまうことがあった。
【０００４】
本発明は上記のような実情に鑑みてなされたもので、その目的とするところは、１つの画面中に複数の画面を配置する多画面表示において各画面の識別を明確に理解することが可能な投影装置、投影方法及びプログラムを提供することにある。
【課題を解決するための手段】
【０００５】
請求項１記載の発明は、画像信号を入力する入力手段と、上記入力手段で入力した画像信号に識別情報を付加して記憶する記憶手段と、画像信号に対応した光像を形成して投影する投影手段と、上記入力手段で現在入力している画像信号と上記記憶手段にすでに記憶した画像信号とを用い、複数の画面を各画面毎の識別情報に基づいた表記と共に１つの画像として上記投影手段で投影させる投影制御手段とを備え、上記識別情報は、少なくとも記憶した順序及び記憶した画像信号の数に対応した情報であって、上記投影手段は、上記記憶した順序と上記記憶した画像信号の数が一致した画像信号に対応する画面の識別情報について、上記入力手段で現在入力している画像信号として上記記憶手段にすでに記憶した画像信号に対応する画面の識別情報とは区別して表記することを特徴とする。
【０００６】
請求項２記載の発明は、上記請求項１記載の発明において、上記複数の画面の数が上記記憶した画像信号の数よりも小さいとき、少なくとも上記記憶した順序と上記記憶した画像信号の数が一致した画像信号に対応する画面を表示することを特徴とする。
【０００７】
請求項３記載の発明は、上記請求項１記載の発明において、上記複数の画面を１つの画像として上記投影手段で投影させるときに、上記記憶した順序と上記記憶した画像信号の数が一致した画像信号に対応する画面を他の画面に比して、大きく投影することを特徴とする。
【０００８】
請求項４記載の発明は、上記請求項１記載の発明において、上記画面は、書画カメラで撮影した書画映像を輪郭抽出して切出したものであることを特徴とする。
【０００９】
請求項５記載の発明は、上記請求項１記載の発明において、上記入力手段が入力する画像信号は日時を示す情報を含み、上記投影制御手段は、各画面毎の識別情報として日時を示す情報の少なくとも一部を表記した画像を投影させることを特徴とする。
【００１０】
請求項６記載の発明は、画像信号に対応した光像を形成して投影する投影部を有する装置での投影方法であって、入力した画像信号に少なくとも記憶した順序及び記憶した画像信号の数に対応した識別情報を付加してメモリに記憶させる記憶工程と、現在入力している画像信号と上記メモリにすでに記憶した画像信号とを用い、複数の画面を各画面毎の識別情報に基づいた表記と共に１つの画像として上記投影部で投影させる投影制御工程と、上記記憶した順序と上記記憶した画像信号の数が一致した画像信号に対応する画面の識別情報について、上記入力手段で現在入力している画像信号として上記記憶手段にすでに記憶した画像信号に対応する画面の識別情報とは区別して表記する表記工程とを有したことを特徴とする。
【００１１】
請求項７記載の発明は、画像信号に対応した光像を形成して投影する投影部を有する装置に内蔵されたコンピュータが実行するプログラムであって、入力した画像信号に少なくとも記憶した順序及び記憶した画像信号の数に対応した識別情報を付加してメモリに記憶させる記憶ステップと、現在入力している画像信号と上記メモリにすでに記憶した画像信号とを用い、複数の画面を各画面毎の識別情報に基づいた表記と共に１つの画像として上記投影部で投影させる投影制御ステップと、上記記憶した順序と上記記憶した画像信号の数が一致した画像信号に対応する画面の識別情報について、上記入力手段で現在入力している画像信号として上記記憶手段にすでに記憶した画像信号に対応する画面の識別情報とは区別して表記する表記ステップとをコンピュータに実行させることを特徴とする。
【発明の効果】
【００１２】
本発明によれば、１つの画面中に複数の画面を配置する多画面表示において各画面の識別を明確に理解することが可能となる。
【発明を実施するための最良の形態】
【００１３】
以下本発明を書画カメラ装置と接続した、ＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。
【００１４】
図１は、書画カメラ装置１とデータプロジェクタ装置２とをＵＳＢ（Ｕｎｉｖｅｒｓａｌ  Ｓｅｒｉａｌ  Ｂｕｓ）ケーブル３で接続した状態を示す。
【００１５】
書画カメラ装置１は、書画台１ａ、スタンド部１ｂ、及びカメラ部１ｃを組み合わせて構成される。
【００１６】
書画台１ａは、例えばヒンジを介して接続された３枚の折りたたみ式の薄板状部材（合成樹脂板）からなり、その中央の合成樹脂板の端部からスタンド部１ｂが直立する。スタンド部１ｂの上部には回動アーム部１ｂ１を介してカメラ取付け部１ｂ２が取付けられ、このカメラ取付け部１ｂ２が上記書画台１ａと平行となるように回動自在に配置される。
【００１７】
そして、このカメラ取付け部１２ｂに対してカメラ部１ｃが取付けられ、上記書画台１ａ上に載置された各種ドキュメントの画像を撮影する。
【００１８】
なお、スタンド部１ｂの側面には、上記ＵＳＢケーブル３を取付けるためのＵＳＢコネクタ１ｂ３が設けられる。書画カメラ装置１では、書画台１ａに載置して撮影されたドキュメント用紙の画像がカメラ部１ｃで撮影され、ＵＳＢケーブル３を介してその画像信号が外部接続される機器（本実施形態ではデータプロジェクタ装置２）へ出力される。
【００１９】
上記書画カメラ装置１とＵＳＢケーブル３で接続されたデータプロジェクタ装置２では、書画カメラ装置１からの画像信号に基づいた光像を形成し、投影レンズ部２ａからここでは図示しないスクリーンに向けて投射する。データプロジェクタ装置２は、略矩形状のの筐体の全面に上記投影レンズ部２ａとリモートコントローラ受光部２ｂが設けられ、また上面にはキー操作部２ｃとスピーカ部２ｄとが設けられる。
【００２０】
次に書画カメラ装置１の概略機能構成について図２を用いて説明する。  
図２は、同実施の形態に係る書画カメラ装置１全体の電子回路の概念構成を示すものである。  
図中、モータ（Ｍ）１１の駆動により、上記カメラ部１ｃの下面側に取付けられた撮影レンズ光学系１２中の一部のレンズ、具体的にはズームレンズ及びフォーカスレンズの位置が適宜移動される。この撮影レンズ光学系１２の撮影光軸後方の結像位置に、図示しないメカニカルシャッタを介して、固体撮像素子であるＣＣＤ（Ｃｈａｒｇｅ  Ｃｏｕｐｌｅｄ  Ｄｅｖｉｃｅ：電荷結合素子）１３が配置される。
【００２１】
ＣＣＤ１３は、タイミング発生器（ＴＧ）１４、ＣＣＤドライバ（Ｄｖ．）１５によって走査駆動され、一定周期毎に結像した光像に対応する光電変換出力を１画面分出力する。
【００２２】
この光電変換出力は、サンプルホールド（Ｓ／Ｈ）回路１６において、アナログ値の信号の状態でＲＧＢの各原色成分毎にその時点に設定されているＩＳＯ感度に応じてＡＧＣ（自動ゲイン調整）された後にサンプルホールドされ、Ａ／Ｄ変換器１７に送られる。
【００２３】
Ａ／Ｄ変換器１７では、アナログの画像データをデジタルデータに変換し、カラープロセス回路１８へ出力する。
【００２４】
カラープロセス回路１８は、デジタルの画像データに対して画素補間処理及びγ補正処理を含むカラープロセス処理を行ない、マトリックス変換によりデジタル値の輝度色差系の画像データＹＵＶを生成した後にバッファコントローラ１９に出力する。
【００２５】
バッファコントローラ１９は、カラープロセス回路１８の出力する画像データＹＵＶを、同じくカラープロセス回路１８からの複合同期信号、メモリ書込みイネーブル信号、及びクロック信号を用いて一度バッファコントローラ２９内部に書込んだ後、バッファメモリとして使用されるＤＲＡＭ２０にＤＭＡ転送を行なう。
【００２６】
このＤＲＡＭ２０は、上記撮影により得た画像データを保持する領域を有するものとする。
【００２７】
制御部２１は、ＣＰＵで構成され、ワークメモリとして使用されるメインメモリ２２、動作プログラムやデータ等を固定的に記憶した不揮発性メモリでなるプログラムメモリ２３とシステムバスＳＢ１を介して接続されるもので、プログラムメモリ２３から必要なプログラムや固定データ等を読出し、該データプロジェクタ装置２に適宜必要なプログラムやデータを一時的に展開して書込みながら、この書画カメラ装置１全体の制御動作を司る。
【００２８】
しかして制御部２１は、上記画像データのＤＲＡＭ２０へのＤＭＡ転送終了後に、この画像データをバッファコントローラ１９を介してＤＲＡＭ２０より読出し、表示制御部２４を介してＶＲＡＭ２５に書込む。
【００２９】
表示制御部２４は、上記画像データをＶＲＡＭ２５より定期的に読出して表示部２６に出力する。
【００３０】
この表示部２６は、バックライト付きのカラー液晶パネルとその駆動回路とで構成される。この表示部２６は、上記カメラ部１ｃの上面側に配置され、この書画カメラ装置１を外部機器に接続していない状態でも撮影内容を視認できるビューファインダとして機能するもので、表示制御部２４からの画像データ等に基づいた表示を行なうことで、その時点で上記ＣＣＤ１３から取込んでいる画像等をリアルタイムにモニタ表示する。
【００３１】
一方で、制御部２１は、ＤＲＡＭ２０に保持される画像データをバッファコントローラ１９により読出させ、ＵＳＢインタフェース（Ｉ／Ｆ）２７へ出力する。ＵＳＢインタフェース２７は、ＵＳＢ２．０規格に則って外部機器の間で画像データを含む各種データの送受を行なうもので、上記ＵＳＢケーブル３を介して画像データをアイソクロナス転送により外部機器へ出力する。
【００３２】
なお、上記ＵＳＢケーブル３は電源ケーブルを兼ねており、ＵＳＢ規格で規定されている電力線が電源制御部２８と接続される。電源制御部２８は、ＵＳＢケーブル３から供給される直流５．０［Ｖ］の電力を元に各種電圧、例えば１．５［Ｖ］、３．３［Ｖ］の電力を生成し、他の各回路に必要な動作電圧を印加する。
【００３３】
また、上記システムバスＳＢ１にはさらに、補助光駆動部２９、画像処理部３０、及びメモリカード３１が接続される。  
補助光駆動部２９は、制御部２１の制御の下に、複数の高輝度白色ＬＥＤ３２を同時に発光駆動し、書画台１ａ上に載置されたドキュメント用紙を照明する。
【００３４】
画像処理部３０は、各種画像処理を行なう他、制御部２１の制御に基づいてＤＲＡＭ２０に保持される画像データを所定の規格、例えばＪＰＥＧ（Ｊｏｉｎｔ  Ｐｈｏｔｏｇｒａｐｈｉｃ  Ｅｘｐｅｒｔｓ  Ｇｒｏｕｐ）に則ってデータ圧縮する。
【００３５】
メモリカード３１は、この書画カメラ装置１のカメラ部１ｃに着脱自在に装着されるもので、上記画像処理部３０でデータ圧縮された画像データ等を記録する。
【００３６】
なお、書画カメラ装置１のカメラ部１ｃ及びスタンド部１ｂに設けられる各種キースイッチを含んでキー入力部３３が構成され、このキー入力部３３でのキー操作信号が直接制御部２１へ送出される。制御部２１はこのキー入力部３３からのキー操作信号に応じた制御動作を実行する。
【００３７】
次に図３を用いて上記データプロジェクタ装置２が備える電子回路の機能構成について説明する。  
同図で、４１はデータプロジェクタ装置２の本体ケーシング背面側に設けられる入出力コネクタ部であり、例えばピンジャック（ＲＣＡ）タイプのビデオ入力端子、ＲＧＢ入力端子、及びＵＳＢ端子からなる。
【００３８】
入出力コネクタ部４１より入力される各種規格の画像信号は、入出力インタフェース（Ｉ／Ｆ）４２、システムバスＳＢ２を介して、一般にスケーラとも称される画像変換部４３で階調数等を含む所定のフォーマットの画像信号に統一された後に、投影画像処理部４４へ送られる。
【００３９】
この際、ＯＳＤ（Ｏｎ  Ｓｃｒｅｅｎ  Ｄｉｓｐｌａｙ）用の各種画像やポインタ等の記号も必要に応じて画像信号上に重畳加工された状態で投影画像処理部４４へ送られる。
【００４０】
投影画像処理部４４は、送られてきた画像信号をＶＲＡＭ４５に展開して記憶させた上でこのＶＲＡＭ４５の記憶内容からビデオ信号を生成する。
【００４１】
投影画像処理部４４は、このビデオ信号のフレームレート、例えば６０［フレーム／秒］と色成分の分割数、及び表示階調数を乗算した、より高速な時分割駆動により、空間的光変調素子（ＳＯＭ）である例えばマイクロミラー素子４６を表示駆動する。
【００４２】
一方、リフレクタ４７内に配置された、例えば超高圧水銀灯を用いた光源ランプ４８が高輝度の白色光を出射する。光源ランプ４８の出射した白色光は、カラーホイール４９を介して時分割で原色に着色され、インテグレータ５０で輝度分布が均一な光束とされた後にミラー５１で全反射して上記マイクロミラー素子４６に照射される。
【００４３】
そして、マイクロミラー素子４６での反射光で光像が形成され、形成された光像が上記投影レンズ部２ａを構成する投影レンズユニット５２を介して、投影対象となるここでは図示しないスクリーンに投影表示される。
【００４４】
上述した如く投影レンズユニット５２は、マイクロミラー素子４６で形成された光像を拡大してスクリーン等の対象に投影するものであり、合焦位置及びズーム位置（投影画角）を任意に可変できるものとする。
【００４５】
すなわち、投影レンズユニット５２を構成する複数の光学レンズ中、図示しないフォーカスレンズ及びズームレンズは共に光軸方向に沿って前後に移動することで制御されるもので、それらレンズはステッピングモータ（Ｍ）５３の回動駆動により移動する。
【００４６】
また、上記カラーホイール４９を回転させるモータ（Ｍ）５４が設けられる。
【００４７】
しかるに、上記光源ランプ４８の点灯駆動、上記カラーホイール４９用のモータ５４の回転駆動、及び上記投影レンズユニット５２用のステッピングモータ５３の回動駆動をいずれも投影光処理部５５が実行する。
【００４８】
加えてこの投影光処理部５５は、リフレクタ４７に取付けられて光源ランプ４８の温度を検出する温度センサ５６からの温度データを入力する。
【００４９】
上記各回路の動作すべてをＣＰＵ５７が制御する。このＣＰＵ５７は、ＳＤＲＡＭ（シンクロナスＤＲＡＭ）で構成されたメインメモリ５８、動作プログラムや各種定型データ等を記憶した電気的書換可能な不揮発性メモリでなるプログラムメモリ５９を用いてこのデータプロジェクタ装置２内の制御動作を実行する。
【００５０】
上記ＣＰＵ５７は、操作部６０からの操作信号に応じて各種投影動作を実行する。この操作部６０は、キー操作部と、このデータプロジェクタ装置２専用の図示しないリモートコントローラからの赤外線変調信号を受信する赤外線受信部とを含み、ユーザが直接または該リモートコントローラを介して操作したキーに基づくキーコード信号をＣＰＵ５７へ直接出力する。
【００５１】
上記ＣＰＵ５７はさらに、上記システムバスＳＢ２を介して画像記憶部６１及び音声処理部６２と接続される。  
画像記憶部６１は、上記入出力コネクタ部４１より入力された画像データを記憶し、必要に応じて任意の数の画像データを読出す。
【００５２】
音声処理部６２は、ＰＣＭ音源等の音源回路を備え、投影動作時に与えられる音声データをアナログ化し、スピーカ部６３を駆動して拡声放音させ、あるいは必要によりビープ音等を発生させる。
【００５３】
次に上記実施形態の動作について説明する。  
図４は、書画カメラ装置１を接続し、書画カメラ装置１からの画像データに従った投影動作を行なうデータプロジェクタ装置２での電源オン後の基本的な処理内容を示すものである。同処理は、基本的にＣＰＵ５７がプログラムメモリ５９から読出した動作プログラムをメインメモリ５８上で展開して実行する。
【００５４】
動作当初には、初期設定として２つの変数ｎ，Ｎを共に初期値「０」に設定する（ステップＳ１０１）。ここで変数ｎはその時点で選択している画像データの番号を示し、一方の変数Ｎは画像記憶部６１に記憶されている画像データの数を示す。画像データは、書画カメラ装置１で撮影した書画映像を輪郭抽出して切出したものである。
【００５５】
その後、入出力コネクタ部４１を介して画像データの入力があるか否かを繰返し判断することで（ステップＳ１０２）、画像データの入力を待機する。
【００５６】
そして、入力画像があったと判断すると、その画像データを入出力インタフェース４２を介して取得し、画像変換部４３で投影に適した画像フォーマットに変換する（ステップＳ１０３）。
【００５７】
合わせて、その時点の変数Ｎを「＋１」した値で変数ｎ，Ｎを更新設定した上で（ステップＳ１０４）、変換後の画像データを変数Ｎの値で示される画像番号と関連づけて画像記憶部６１に追加記憶させる（ステップＳ１０５）。
【００５８】
次に、その時点で複数の画像データを１つの画面に合わせて投影する多画面投影の設定がなされているか否かを判断する（ステップＳ１０６）。  
当該設定がなされていなければ、１つの画像データを用いたオーソドックスな投影を行なうべく、その時点の変数ｎで示される画像番号が付加された画像データを画像記憶部６１から読出し、読出した画像データをＶＲＡＭ４５上で展開した上で画像番号をＯＳＤデータとして重畳設定する（ステップＳ１０７）。
【００５９】
このとき、変数ｎ＝変数Ｎであれば、その時点で選択しているのは入出力コネクタ部４１から入力されている画像データであることになるので、上記ステップＳ１０５で設定した画像番号に代えて、例えば文字列「＜ライブ＞」の画像を画像データの一部、例えば右上端部にＯＳＤデータとして重畳して投影することで、その時点の書画カメラ装置１からの入力画像であることを表現できる。
【００６０】
そして、ＶＲＡＭ４５に展開した画像データに基づいてマイクロミラー素子４６で光像を形成して投影レンズユニット５２より投影させる（ステップＳ１１０）。  
この投影動作を実行しながら、操作部６０を構成する上記キー操作部２ｃあるいはリモートコントローラにより左右方向のカーソルキーのいずれかが操作されたか否かにより、投影している画像を前後方向に切換えるか否かを判断する（ステップＳ１１１）。
【００６１】
当該操作がなされていなければ、さらに入出力コネクタ部４１より入力されている画像データが新たな画像データに切換えられたか否かを、入出力コネクタ部４１からの画像データと画像記憶部６１に記憶されている画像番号Ｎが付加された画像データとを比較して両データが異なるか否かにより判断する（ステップＳ１１２）。
【００６２】
入力される画像データが切換えられていないと判断した場合、再び上記ステップＳ１１０からの動作を続行することで、投影動作を維持しながら、画像の切換操作がなされるか、入力画像が切換えられるのを待機する。
【００６３】
しかして、入出力コネクタ部４１から入力される画像データが切換えられた場合、その時点で書画カメラ装置１の書画台１ａ上に新たなドキュメントが投影対象として設置されたことになるので、ステップＳ１１２でこれを判断すると、上記ステップＳ１０３からの処理に戻って、入出力コネクタ部４１から入力される画像データの投影動作に移行する。
【００６４】
また、上記ステップＳ１１１で上記キー操作部２ｃあるいはリモートコントローラにより左右方向のカーソルキーのいずれかが操作されたと判断した場合、投影している画像を前後方向に切換えるべく当該操作がなされたことになるので、キーの操作内容に応じてその時点の変数ｎの値を「＋１」あるいは「−１」更新設定した上で（ステップＳ１１３）、上記ステップＳ１０６からの処理に戻る。
【００６５】
また、上記ステップＳ１０６で複数の画像データを１つの画面に合わせて投影する多画面投影の設定がなされていると判断した場合には、次にその時点で設定されている、１画面内に同時に投影する画像数ｍを取得する（ステップＳ１０８）。
【００６６】
そして、取得した画像数ｍに従って、その時点で選択している画像番号を表す変数ｎにより、画像番号ｎを末尾とするｍ枚分の画像データを画像記憶部６１から読出して画像変換部４３で１枚分の画像データを作成し、作成した画像データをＶＲＡＭ４５上で展開した上で各画像毎の画像番号をＯＳＤデータとして重畳設定する（ステップＳ１０７）。
【００６７】
このとき、変数ｎ＝変数Ｎであれば、その時点で選択している末尾の画像は入出力コネクタ部４１から入力されている画像データであることになるので、上記ステップＳ１０５で設定した画像番号に代えて、例えば文字列「＜ライブ＞」の画像を画像データの一部、例えば右上端部にＯＳＤデータとして重畳して投影することで、その時点の書画カメラ装置１からの入力画像であることを表現できる。  
そして、上記ステップＳ１１０に進み、ＶＲＡＭ４５に展開した画像データに基づいてマイクロミラー素子４６で光像を形成して投影レンズユニット５２より投影させる。
【００６８】
図５は、画像数ｍ＝２であり、変数ｎ＝変数Ｎ＝２である場合の投影画像を例示するものである。同図では、画像番号「１」の画像データと画像番号「２」の画像とが同じ大きさで１つの画像に合成されてスクリーンＳＣ上で投影されている状態を示す。
【００６９】
画像番号「２」の画像は、上述した如くその時点で書画カメラ装置１の書画台１ａに載置されたドキュメントの画像であり、入出力コネクタ部４１から入力されている画像データであることを示すべく、画像番号「２」に代えて文字列「＜ライブ＞」の画像を端部に重畳して投影している。
【００７０】
したがって、このスクリーンＳＣ上の投影画像を見た者はいずれも、複数の画像からなる投影内容を見ながらも、その時点で書画カメラ装置１の書画台１ａに載置されているドキュメントの内容が上記文字列「＜ライブ＞」が付加された画像であることを容易に理解できる。
【００７１】
また、図６は、画像数ｍ＝６であり、変数ｎ＝変数Ｎ＝６である場合の投影画像を例示するものである。同図では、画像番号「１」乃至「６」の計６つの画像が同じ大きさで、縦２行×横３列の配列の１つの画像に合成されてスクリーンＳＣ上で投影されている状態を示す。
【００７２】
画像番号「６」の画像は、上述した如くその時点で書画カメラ装置１の書画台１ａに載置されたドキュメントの画像であり、入出力コネクタ部４１から入力されている画像データであることを示すべく、画像番号「６」に代えて文字列「＜ライブ＞」の画像を端部に重畳して投影している。
【００７３】
さらに、図７は、画像数ｍ＝３であり、変数ｎ＝変数Ｎ＝６である場合の投影画像を例示するものである。同図では、画像番号「４」乃至「６」の計３つの画像が１つだけ異なる大きさで１つの画像に合成されてスクリーンＳＣ上で投影されている状態を示す。
【００７４】
末尾に位置する画像番号「６」の画像は、上述した如くその時点で書画カメラ装置１の書画台１ａに載置されたドキュメントの画像であり、入出力コネクタ部４１から入力されている画像データであることを示すべく、画像番号「６」に代えて文字列「＜ライブ＞」の画像を端部に重畳して、他の画像より大きなサイズで投影している。
【００７５】
こうして、特に末尾に位置する画像を他の画像とは区別して大きなサイズで投影することにより、それまでの経緯を複数の画像で表現し、適宜必要により内容を確認できるようにしながらも、末尾の画像をより大きく投影することで、スクリーンＳＣの大きさが制限されている場合でも、末尾に位置する画像の内容をより視認し易い状態で提示することかできる。
【００７６】
以上のように本実施形態によれば、１つの画像データ中に複数の画像データを配置する多画面表示において、各画像データの識別を容易且つ明確に理解することが可能となる。
【００７７】
特に上記実施形態では、その時点で入出力コネクタ部４１より入力している書画カメラ装置１からの画像データに対し、画像記憶部６１に記憶した一連の番号に代えて、異なる体系の識別情報として、例えば文字列「＜ライブ＞」により区分して表記するようにしたので、まさにその時点に書画カメラ装置１で撮影している画像をそれまでの画像とは異なる画像として視認できる。
【００７８】
また、上記実施形態では、一連の画像データに対して画像記憶部６１に記憶された順序を示す番号を識別情報として関連付けるものとしたので、表記内容を見るだけで入力された順序を理解でき、違和感なく自然な識別のための表記を実現できる。
【００７９】
さらに、上記実施形態とは異なり、例えば入力される画像データがタイムスタンプのような日時情報を含んだものである場合、すなわちデータプロジェクタ装置２に接続される外部機器が書画カメラ装置１ではなく、パーソナルコンピュータやデジタルカメラ、あるいは一連の画像データを記憶したＵＳＢメモリであり、ＲＧＢ信号等のアナログ値の画像信号に代えてＪＰＥＧ画像データ等の符号化された画像データが入力される場合には、その日時情報の少なくとも一部を識別情報として用い、上記記憶順序に代えて各画像に対応付けて表記するものとしても良い。  
こうすることで、例えば各画像を撮影した日時、作成した日時等をそのまま継承して表記することができ、画像データの由来を表現することができる。
【００８０】
なお、上記実施形態は、本発明をＤＬＰ（登録商標）方式のデータプロジェクタ装置に適用した場合について説明したが、光源ランプに放電灯を用いる方式のプロジェクタであれば、構造を形成するために透過型の液晶パネルを用いる液晶方式のプロジェクタ、あるいはリアプロジェクション方式のテレビジョン装置、ＯＨＰ（オーバヘッドプロジェクタ）等、各種他の装置にも同様に適用可能である。
【００８１】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００８２】
【図１】本発明の一実施形態に係る書画カメラ装置とデータプロジェクタ装置とをＵＳＢケーブルで接続した状態を示す外観図。
【図２】同実施形態に係る書画カメラ装置の電子回路の概念構成を示すブロック図。
【図３】同実施形態に係るデータプロジェクタ装置の電子回路の概念構成を示すブロック図。
【図４】同実施形態に係る多画面投影動作の処理内容を示すフローチャート。
【図５】同実施形態に係る多画面投影状態を例示する図。
【図６】同実施形態に係る多画面投影状態を例示する図。
【図７】同実施形態に係る多画面投影状態を例示する図。
【符号の説明】
【００８３】
１…書画カメラ装置、１ａ…書画台、１ｂ…スタンド部、１ｂ１…回動アーム部、１ｂ２…カメラ取付け部、１ｂ３…ＵＳＢコネクタ、１ｃ…カメラ部、２…データプロジェクタ装置、３…ＵＳＢケーブル、１１…モータ（Ｍ）、１２…撮影レンズ光学系、１３…ＣＣＤ、１４…タイミング発生器（ＴＧ）、１５…ＣＣＤドライバ（ＣＣＤ−Ｄｖ．）、１６…サンプルホールド（Ｓ／Ｈ）回路、１７…Ａ／Ｄ変換器、１８…カラープロセス回路、１９…バッファコントローラ、２０…ＤＲＡＭ、２１…制御部、２２…メインメモリ、２３…プログラムメモリ、２４…表示制御部、２５…ＶＲＡＭ、２６…表示部、２７…ＵＳＢインタフェース（Ｉ／Ｆ）、２８…電源制御部、２９…補助光駆動部、３０…画像処理部、３１…メモリカード、３２…高輝度白色ＬＥＤ、３３…キー入力部、４１…入出力コネクタ部、４２…入出力インタフェース（Ｉ／Ｆ）、４３…画像変換部、４４…投影画像処理部、４５…ＶＲＡＭ、４６…マイクロミラー素子（ＳＯＭ）、４７…リフレクタ、４８…光源ランプ、４９…カラーホイール、５０…インテグレータ、５１…ミラー、５２…投影レンズユニット、５３…ステッピングモータ（Ｍ）、５４…モータ（Ｍ）、５５…投影光処理部、５６…温度センサ、５７…ＣＰＵ、５８…メインメモリ、５９…プログラムメモリ、６０…操作部、６１…画像記憶部、６２…音声処理部、６３…スピーカ部、ＳＢ１，ＳＢ２…システムバス、ＳＣ…スクリーン。
【図１】
0004458155.tif 000002
【図２】
0004458155.tif 000003
【図３】
0004458155.tif 000004
【図４】
0004458155.tif 000005
【図５】
0004458155.tif 000006
【図６】
0004458155.tif 000007
【図７】
0004458155.tif 000008